(57)【要約】【課題】遠隔地にあるネットワーク装置へのシリアル通信によるリモートログインを容易且つ安価に行うことのできる、リモートコンソールログイン機能搭載ネットワーク装置およびリモートコンソールログイン方法を提供する。【解決手段】送信側ネットワーク装置にて、シリアル通信データをシリアル／イーサネット（登録商標）間通信専用の識別子付フレームに変換し、該識別子付フレームをフレーム多重して送信し、受信側ネットワーク装置にて、前記イーサネット（登録商標）フレームに含まれる識別子付フレームを元のシリアル通信データに復元する。【選択図】図３
2008219493.tif 000002
【特許請求の範囲】
【請求項１】
リモートコンソールログインを行う機能を持つネットワーク装置であって、
相手のネットワーク装置へ送信するシリアル通信データを、シリアル／イーサネット（登録商標）間通信専用の識別子付フレームに変換し、該識別子付フレームをフレーム多重して送信することを特徴とするネットワーク装置。
【請求項２】
リモートコンソールログインを行う機能を持つネットワーク装置であって、
相手のネットワーク装置より受信するフレーム間から、相手のネットワーク装置にてシリアル通信データを変換して挿入されたシリアル／イーサネット（登録商標）間通信専用の識別子付フレームを判別し、該識別子付フレームを元のシリアル通信データに復元することを特徴とするネットワーク装置。
【請求項３】
シリアル通信データがRS232シリアル通信データであることを特徴とする請求項１または２記載のネットワーク装置。
【請求項４】
通信形態が有線通信または無線通信であることを特徴とする請求項１または２記載のネットワーク装置。
【請求項５】
リモートコンソールログインを行う機能を持つ送信側および受信側ネットワーク装置を備えたネットワークシステムであって、
送信側ネットワーク装置は、送信するシリアル通信データをシリアル／イーサネット（登録商標）間通信専用の識別子付フレームに変換し、該識別子付フレームをフレーム多重して送信し、
受信側ネットワーク装置は、受信する前記フレーム間に含まれる識別子付フレームを元のシリアル通信データに復元する、
ことを特徴とするネットワークシステム。
【請求項６】
シリアル通信データがRS232シリアル通信データであることを特徴とする請求項５記載のネットワークシステム。
【請求項７】
通信形態が有線通信または無線通信であることを特徴とする請求項５記載のネットワークシステム。
【請求項８】
ネットワーク装置間でリモートコンソールログインを行う方法であって、
送信側ネットワーク装置にて、シリアル通信データをシリアル／イーサネット（登録商標）間通信専用の識別子付フレームに変換し、該識別子付フレームをフレーム多重して送信し、
受信側ネットワーク装置にて、フレーム間に含まれる識別子付フレームを元のシリアル通信データに復元する、
ことを特徴とするリモートコンソールログイン方法。
【請求項９】
シリアル通信信号がRS232シリアル通信データであることを特徴とする請求項８記載のリモートコンソールログイン方法。
【請求項１０】
通信形態が有線通信または無線通信であることを特徴とする請求項８記載のリモートコンソールログイン方法。
【発明の詳細な説明】
【技術分野】
【０００１】
本発明は、リモートコンソールログイン機能を搭載したネットワーク装置に関するものである。さらに詳しくは、本発明は、シリアルコンソールポートを搭載したスイッチ、メディアコンバータ、ルータといったネットワーク装置全般に特に有用な、遠隔地にあるネットワーク装置へのシリアル通信によるリモートログインを容易且つ安価に行うことのできる、ネットワーク装置およびネットワークシステム、ならびにリモートコンソールログイン方法に関するものである。
【背景技術】
【０００２】
従来、たとえば図１に例示したようなネットワーク構成におけるネットワーク装置の初期設定やIPアドレス設置等の保守運用管理を遠隔地間で行う場合において、建物Aに居る管理者Xが別の建物B（あるいは同じ建物A内にて離れた空間）に設置されているスイッチQにログインする方法としては、以下のようなものが考えられる。
【０００３】
１．telnetによるスイッチPからスイッチQへのリモートログイン
２．スイッチQのシリアルコンソールポートからの直接ログイン
３．別の管理者Yの配置
図１のネットワーク構成は、建物A内にて、管理等用のコンピュータがRS232シリアルケーブルおよびUTP(Unshielded Twisted Pair)ケーブルを介してスイッチPに接続され、スイッチPがUTPケーブルを介してメディアコンバータSに接続されており、建物B内にて、管理等用のコンピュータがRS232シリアルケーブルを介してスイッチQに接続され、スイッチQがUTPケーブルを介してメディアコンバータTに接続されており、建物Aおよび建物Bの間は、光ファイバを介してメディアコンバータS,T同士がイーサネット（登録商標）通信可能に接続されている。
【特許文献１】特開平１１−０９６１０６号公報
【発明の開示】
【発明が解決しようとする課題】
【０００４】
しかしながら、これらのログイン方法では、たとえば１）については、メディアコンバータT経由で接続されたアップリンクポートがリンクアップしていて、かつスイッチPとスイッチQにIPアドレスを設定する必要があり、２）については、管理者Xが建物Bまで出向く必要があり、３）については、新たな人材および人件費確保の必要がある、といった望ましくない課題がある。
【０００５】
ここで、たとえば特許文献１には、RS232シリアル通信を正常なイーサネット（登録商標）フレームにカプリングしてTCP/IP通信する方式が提案されているが、上記課題を解決し得るものではない。
【０００６】
以上のとおりの事情に鑑み、本発明は、遠隔地にあるネットワーク装置へのシリアル通信によるリモートログインを容易且つ安価に行うことのできる、リモートコンソールログイン機能を搭載したネットワーク装置およびネットワークシステム、ならびにリモートコンソールログイン方法を提供することを目的としている。
【課題を解決するための手段】
【０００７】
上記課題を解決すべく、本発明のネットワーク装置は、第１には、リモートコンソールログインを行う機能を持つネットワーク装置であって、相手のネットワーク装置へ送信するシリアル通信データを、シリアル／イーサネット（登録商標）間通信専用の識別子付フレームに変換し、該識別子付フレームをフレーム多重して送信することを特徴とする。
【０００８】
第２には、リモートコンソールログインを行う機能を持つネットワーク装置であって、相手のネットワーク装置より受信するフレーム間から、相手のネットワーク装置にてシリアル通信データを変換して挿入されたシリアル／イーサネット（登録商標）間通信専用の識別子付フレームを判別し、該識別子付フレームを元のシリアル通信データに復元することを特徴とする。
【０００９】
第３には、シリアル通信データがRS232シリアル通信データであることを特徴とする。
【００１０】
第４には、通信形態が有線通信または無線通信であることを特徴とする。
【００１１】
また、本発明のネットワーク装置については、上記のとおりの特徴を持つリモートコンソールログイン機能を搭載したスイッチ、メディアコンバータ、ルータ等のあらゆるネットワーク装置を適用できる。
【００１２】
また、本発明のネットワークシステムは、第５には、リモートコンソールログインを行う機能を持つ送信側および受信側ネットワーク装置を備えたネットワークシステムであって、送信側ネットワーク装置は、送信するシリアル通信データをシリアル／イーサネット（登録商標）間通信専用の識別子付フレームに変換し、該識別子付フレームをフレーム多重して送信し、受信側ネットワーク装置は、受信するフレーム間に含まれる識別子付フレームを元のシリアル通信データに復元する、ことを特徴とするネットワーク装置を備えたことを特徴とする。
【００１３】
第６には、シリアル通信データがRS232シリアル通信データであることを特徴とする。
【００１４】
第７には、通信形態が有線通信または無線通信であることを特徴とする。
【００１５】
またさらに、本発明のリモートコンソールログイン方法は、第８には、  ネットワーク装置間でリモートコンソールログインを行う方法であって、送信側ネットワーク装置にて、シリアル通信データをシリアル／イーサネット（登録商標）間通信専用の識別子付フレームに変換し、該識別子付フレームをフレーム多重して送信し、受信側ネットワーク装置にて、フレーム間に含まれる識別子付フレームを元のシリアル通信データに復元する、ことを特徴とする。
【００１６】
第９には、シリアル通信信号がRS232シリアル通信データであることを特徴とする。
【００１７】
第１０には、通信形態が有線通信または無線通信であることを特徴とする。
【発明の効果】
【００１８】
上記のとおりの特徴を有する本発明によれば、従来不可能であった遠隔地にあるネットワーク装置のシリアルコンソールから直接ログインすることが可能となる。これにより、たとえば上記図１に例示したネットワーク構成において、管理者XはスイッチPとスイッチQにIPアドレスを設定しなくても、建物Aから建物BのスイッチQにリモートコンソールログインすることができるようになり、管理者Xが建物Bまで出向くことも、管理者Yといった新たな人材を確保することも必要なくなり、遠隔地にあるネットワーク装置へのシリアル通信によるリモートコンソールログインを容易且つ安価に実現可能となる。
【発明を実施するための最良の形態】
【００１９】
＜実施形態１（スイッチ）＞
図２は従来のスイッチを例示したブロック図であり、図３は本発明の一実施形態に係るスイッチを例示したブロック図である。
【００２０】
図３のスイッチでは、図２の従来のスイッチに比べて、RS232 MUX/DEMUX搭載FPGAおよびコンソールポート接続切替スイッチが追加されている。図３中の網掛け部分が本発明に従う追加構成である。
【００２１】
RS232 MUX/DEMUX（Multiplexer/Demultiplexer）搭載FPGA(Field Programmable Gate Array)は、CPU(Central Processing Unit)のUART(Universal Asynchronous Receiver-Transmitter)とRS232トランシーバとの間に設けられ、送信時は、MII/GMIIのアップリンク側へRS232シリアル通信データを識別子付専用フレームに変換して多重し、受信時は、識別子付専用フレームをRS232シリアル通信データに復元する。なお、送信については、イーサネット（登録商標）フレームは６４byte必要だが、専用フレームは８byteのフレームに変換して送る。
【００２２】
RS232シリアル通信設定変更スイッチは、マルチプレクス／ディマルチプレクスするRS232シリアル通信の通信レートなどを設定する。
【００２３】
シリアルコンソールポート接続切替スイッチは、シリアルコンソールポートをCPUのUARTに接続するか、1GbE(1 Gigabit Ethernet（登録商標）)ポートに接続された同機能を搭載したスイッチのCPUのUARTに接続するかを設定する。
【００２４】
これらRS232 MUX/DEMUX搭載FPGAおよびコンソールポート接続切替スイッチによるリモートコンソールログイン機能を搭載したスイッチは、たとえば、図４にその概観図を例示したように、シリアルコンソールポート１、シリアルコンソールポート接続切替スイッチ２、イーサネット（登録商標）ポート３、およびRS232シリアル通信多重アップリンクイーサネット（登録商標）ポート４を備えることができる。
【００２５】
図５のような構成にすると、RS232 MUX/DEMUX搭載FPGAがRS232シリアル通信データを識別子付専用フレームへ変換してイーサネット（登録商標）フレームに多重して送信するので、管理者Xは、建物Aに居たまま、IPアドレスを設定することなく、スイッチP+のコンソールポートから遠隔地の建物BにあるスイッチQ+のコンソールポートへ直接接続することができる。
【００２６】
＜実施形態２（メディアコンバータ）＞
図６は従来のメディアコンバータを例示したブロック図であり、図７は本発明の一実施形態に係るメディアコンバータを例示したブロック図である。
【００２７】
図７のメディアコンバータでは、図６の従来のメディアコンバータに比べて、RS232 MUX/DEMUX搭載FPGA、RS232シリアル通信設定変更スイッチ、およびシリアルコンソールケーブル接続切替スイッチが追加されている。図７中の網掛け部分が本発明に従う追加構成である。
【００２８】
RS232 MUX/DEMUX搭載FPGAは、物理層PHYおよびFPGAに接続可能に設けられ、送信時は、MII/GMIIのアップリンク側へRS232シリアル通信データを識別子付専用フレームに変換して多重し、受信時は、識別子付専用フレームをRS232シリアル通信データに復元する。なお、送信については、イーサネット（登録商標）フレームは６４byte必要だが、専用フレームは８byteのフレームに変換して送る。
【００２９】
RS232シリアル通信設定変更スイッチは、マルチプレクス／ディマルチプレクスするRS232シリアル通信の通信レートなどを設定する。
【００３０】
シリアルコンソールケーブル接続切替スイッチは、シリアルコンソールケーブルをコンピュータPCに接続するか、スイッチのコンソールポートに接続するかを設定する。
【００３１】
これらRS232 MUX/DEMUX搭載FPGA、RS232シリアル通信設定変更スイッチ、およびシリアルコンソールケーブル接続切替スイッチによるリモートコンソールログイン機能を搭載したメディアコンバータは、たとえば、図８にその概観図を例示したように、シリアルコンソールポート１０、シリアル通信設定変更スイッチ２０、シリアルコンソールケーブル選択スイッチ３０、イーサネット（登録商標）ポート４０、およびRS232シリアル通信多重アップリンクイーサネット（登録商標）ポート５０を備えることができる。
【００３２】
図９のような構成にすると、RS232 MUX/DEMUX搭載FPGAがRS232シリアル通信データを識別子付専用フレームへ変換してイーサネット（登録商標）フレームに多重して送信するので、管理者Xは、建物Aに居たまま、IPアドレスを設定することなく、メディアコンバータS+のコンソールポートから遠隔地の建物BにあるスイッチQのコンソールポートへ直接接続することができる。
【００３３】
＜実施形態３（RS232 MUX/DEMUX搭載FPGA）＞
図１０は、本発明に従ってリモートコンソールログインを可能ならしめる上記RS232 MUX/DEMUX搭載FPGAのより具体的な一実施形態を示したブロック図であり、以下の各ブロックを備えている。
【００３４】
・FIFO
ポートP0とポートP1の送受信のクロック周波数偏差を吸収するブロック。
【００３５】
・識別子付専用フレームマルチプレクサ
RS232 to MII/GMIIが送信した識別子付専用フレームを、ポートP0から受信したイーサネット（登録商標）フレームにフレーム多重してポートP1へ送信するブロック。
【００３６】
・識別子付専用フレームパーサ
ポートP1から受信したイーサネット（登録商標）フレームの中から識別子付専用フレームをRS232 to MII/GMIIに渡すブロック。
【００３７】
・RS232コネクションセレクタ
ポートP2をRS232 to MII/GMIIへ接続するか、ポートP3へ接続するかを選択するブロック。
【００３８】
・RS232 to MII/GMII
RS232コネクションセレクタから受信したRS232シリアル通信データを識別子付専用フレームに変換して識別子付専用フレームマルチプレクサに渡し、また、識別子付専用フレームマルチプレクサから受け取った識別子付専用フレームをRS232シリアル通信データに復元してRS232コネクションセレクタへ送信するブロック。RS232通信レートなどの設定はCFGスイッチで行う。
【００３９】
［その他の実施形態］
シリアル通信については、上述した実施形態におけるRS232シリアル通信に限定されるものではなく、あらゆる形態のシリアル通信を適用できる。
【００４０】
イーサネット（登録商標）通信については、光ファイバ等を介した有線通信に限定されるものではなく、ワイヤレスLAN(Local Area Network)等の無線通信をも適用できる。
【００４１】
ネットワーク装置については、上述した実施形態におけるスイッチおよびメディアコンバータに限定されるものではなく、同様なリモートコンソールログイン機能を搭載したルータ等のあらゆるネットワーク装置を適用できる。
【図面の簡単な説明】
【００４２】
【図１】従来のリモートコントロールについて説明するための図。
【図２】従来のスイッチを示したブロック図。
【図３】本発明の一実施形態に係るスイッチを示したブロック図。
【図４】図３のスイッチの一概観例を示した図。
【図５】図３のスイッチによるリモートコントロールについて説明するための図。
【図６】従来のメディアコンバータを示したブロック図。
【図７】本発明の一実施形態に係るメディアコンバータを示したブロック図。
【図８】図７のメディアコンバータの一概観例を示した図。
【図９】図７のメディアコンバータによるリモートコントロールについて説明するための図。
【図１０】RS232 MUX/DEMUX搭載FPGAの一実施形態を示したブロック図。
【符号の説明】
【００４３】
１  シリアルコンソールポート
２  シリアルコンソールポート接続切替スイッチ
３  イーサネット（登録商標）ポート
４  RS232シリアル通信多重アップリンクイーサネット（登録商標）ポート
１０  シリアルコンソールポート
２０  シリアル通信設定スイッチ
３０  シリアルコンソールケーブル選択スイッチ
４０  イーサネット（登録商標）ポート
５０  RS232シリアル通信多重アップリンクイーサネット（登録商標）ポート
【図１】
2008219493.tif 000003
【図２】
2008219493.tif 000004
【図３】
2008219493.tif 000005
【図４】
2008219493.tif 000006
【図５】
2008219493.tif 000007
【図６】
2008219493.tif 000008
【図７】
2008219493.tif 000009
【図８】
2008219493.tif 000010
【図９】
2008219493.tif 000011
【図１０】
2008219493.tif 000012